(57)【要約】      （修正有）【課題】携帯用収納バックを携帯して移動する際に、手間をかけずに時間を確認できると共に、携帯用収納バックから容易に分離することができ、時計の管理および修理に不便が生じることのない、時計が設置された携帯用収納バックを提供する。【解決手段】内部に収納空間が備えられたボディー部１００と、折れ重なりボディー部をカバーするカバー部１１０と、カバー部に付着され、カバー部を、固定または開放するロック部１２０とを含む携帯用収納バックであって、ロック部の端部外側に時計Ｗが結合設置されている。【選択図】図２
0003185947.tif 000002
【実用新案登録請求の範囲】
【請求項１】
内部に収納空間が備えられたボディー部と、
折れ重なり上記ボディー部をカバーするカバー部と、
上記カバー部に付着され、上記カバー部を固定または開放するロック部と、
を含む携帯用収納バックであって、
上記ロック部は、端部外側に時計が結合設置されていることを特徴とする時計が設置された携帯用収納バック。
【請求項２】
上記ロック部と上記時計との間に、付着板が結合されていることを特徴とする請求項１に記載の時計が設置された携帯用収納バック。
【請求項３】
上記時計は、上記付着板とボルトとで連結されていることを特徴とする請求項２に記載の時計が設置された携帯用収納バック。
【請求項４】
上記ロック部は、スナップボタンにより、上記カバー部を固定または開放することを特徴とする請求項２または３に記載の時計が設置された携帯用収納バック。
【請求項５】
上記ロック部に付着された上記スナップボタンは、内側に、連結ボルトが貫通し、上記付着板と共に連結固定されていることを特徴とする請求項４に記載の時計が設置された携帯用収納バック。
【請求項６】
上記ロック部は、磁石または面ファスナーにより、上記カバー部を固定または開放することを特徴とする請求項２または３に記載の時計が設置された携帯用収納バック。
【考案の詳細な説明】
【技術分野】
【０００１】
本考案は、携帯用収納バックに関し、より詳細には、紙幣、カードおよび名刺などの小さいサイズの物品を収納して携帯することができる、財布、ダイアリーおよびクラッチバックなどの携帯用収納バックに時計を結合した、時計が設置された携帯用収納バックに関する。
【背景技術】
【０００２】
財布、ダイアリーおよびクラッチバックなどの携帯用収納バックは、その内部に収納空間が形成され、紙幣、カードおよび名刺などの小さいサイズの物品を収納し、使用者が手で直接携帯し、使用できるものである。
【０００３】
一方、多様な生き方をしている現代人にとって、その生活の中で、多くの計画を立てたり、または、約束を履行したりするにあたり、時間の重要性は益々増大している。このように、時間を重要視する生き方をする現代人は、必要に応じて、状態および環境を気にせずに、随時、時間を確認する習慣を持ちながら生活している。
【０００４】
しかし、携帯することが避けられない、紙幣、カードおよび名刺などの小さいサイズの物品を収納する携帯用収納バックを携帯しながら、歩行中、または、公共交通手段を利用した移動中に、時間を確認する必要がある場合、手首に着けている時計を、手首を上げて確認したり、ポケットまたはかばんに収納している携帯電話を取り出して確認したりする必要があり、手間がかかるという問題があった。
【考案の概要】
【考案が解決しようとする課題】
【０００５】
本考案は、上述された問題点を解決するためになされたものであり、携帯用収納バックに時計を設置し、携帯用収納バックを携帯して移動する際に、時間を確認することが手間とならないことは勿論、設置された時計を携帯用収納バックから容易に分離することができ、時計の管理および修理を行うにあたり、不便が生じることがない、時計が設置された携帯用収納バックを提供することを目的とする。
【課題を解決するための手段】
【０００６】
上記課題を解決するために、本考案は、内部に収納空間が備えられたボディー部（body部）と、折れ重なり上記ボディー部をカバーするカバー部と、上記カバー部に付着され、上記カバー部を固定または開放するロック部と、を含む携帯用収納バックにおいて、上記ロック部は、端部外側に時計が結合設置されていることを特徴とする、時計が設置された携帯用収納バックを提供する。
【０００７】
この際、上記ロック部と上記時計との間に、付着板が結合されている構成にも、その特徴がある。
【０００８】
そして、上記時計が、上記付着板とボルトとによって連結された構成にも、その特徴がある。
【０００９】
それから、上記ロック部は、スナップボタンによって上記カバー部を固定または開放する構成にも、その特徴がある。
【００１０】
更には、上記ロック部に付着された上記スナップボタンは、内側に連結ボルトが貫通し、上記付着板と共に連結固定されている構成にも、その特徴がある。
【００１１】
これらのみでなく、上記ロック部は、磁石、または、面ファスナー（ベルクロ等）によって、上記カバー部を固定または開放する構成にも、その特徴がある。
【考案の効果】
【００１２】
本考案によれば、携帯用収納バックに時計を設置し、携帯用収納バックを携帯して移動する際に、時間を確認することに手間がかからないことは勿論、設置された時計を、携帯用収納バックから容易に分離することができ、時計を管理および修理するにあたり、不便が生じないという効果がある。
【図面の簡単な説明】
【００１３】
【図１】本考案の実施形態に係る、時計が設置された携帯用収納バックの斜視図である。
【図２】本考案の実施形態に係る、時計が設置された携帯用収納バックの分解斜視図である。
【図３】本考案の他の実施形態に係る、時計が設置された携帯用収納バックの斜視図である。
【図４】本考案のさらに他の実施形態に係る、時計が設置された携帯用収納バックの斜視図である。
【図５】本考案のさらに他の実施形態に係る、時計が設置された携帯用収納バックの斜視図である。
【図６】本考案のさらに他の実施形態に係る、時計が設置された携帯用収納バックの斜視図である。
【考案を実施するための形態】
【００１４】
以下、図面を参照しながら、実施形態を中心に、本考案の構成について、詳細に説明する。
【００１５】
図１、図５および図６に図示されているように、本考案に係る時計が設置された携帯用収納バックは、その内部に、紙幣、カードおよび名刺などの小さいサイズの物品を収納できる収納空間が備えられたボディー部１００と、折れ重なりボディー部１００をカバーするカバー部１１０と、カバー部１００に付着され、カバー部１１０を固定または開放するロック部１２０と、を含むことを基本構成とする。
【００１６】
この際、ロック部１２０の端部外側に時計を結合させ、設置されるようにする。
【００１７】
何故なら、時計Ｗが、ロック部１２０の端部外側に設置されることにより、使用者が、財布Ｐ、ダイアリーＤおよびクラッチバックＣなどの携帯用収納バックを、ロック部１２０を介して固定状態で携帯し、移動中に、ロック部１２０の端部外側に設置された時計を通じて、容易に時間を確認することが可能であるからである。
【００１８】
図２に図示されているように、ロック部１２０の端部外側に時計Ｗを結合するにあたり、ロック部１２０と時計Ｗとの間に付着板１２１を結合させることが好ましい。
【００１９】
これにより、一般的に、皮または合成繊維などの材質からなる財布Ｐ、ダイアリーＤおよびクラッチバックＣなどの携帯用収納バックに、金属からなる時計を効果的に結合させることが可能となる。
【００２０】
ここで、付着板１２１は、ロック部１２０と時計Ｗとの間に結合される際に、時計Ｗとボルト１２１ａとで、連結されることが好ましい。
【００２１】
これにより、財布Ｐ、ダイアリーＤおよびクラッチバックＣなどの携帯用収納バックに、時計Ｗを設置して使用するにあたり、時計Ｗの内部機械作動に欠陥が発生した場合、時計Ｗに水が浸透し、時計Ｗの作動に問題が生じた場合、および、時計Ｗのバッテリが寿命切れで交換を行う必要がある場合などのように、時計Ｗを管理および修理する必要がある場合には、ボルト１２１ａを解体し、時計Ｗを携帯用収納バックから容易に分離し、管理および修理作業を行うことが可能である。
【００２２】
そして、付着板１２１は、円形または多角形の形態で、時計Ｗと連結されることが可能であり、これは、円形または多角形などの多様な形態で作製される時計Ｗとの連結時に、時計Ｗの形態に応じた形態で連結され、外観上の美麗さを誘発させるためである。
【００２３】
図１および図２に図示されているように、ロック部１２０は、スナップボタン１２２によって、カバー部１１０を固定または開放することが可能である。
【００２４】
スナップボタン１２２は、一方側が突出形成されたものと、一方側が窪んで形成されたものとが、雄雌一対として、携帯用収納バックに付着されて備えられ、スナップボタン１２２が結合および分離されることにより、カバー部１１０を固定または開放することが可能となる。
【００２５】
この際、本考案による時計が設置された携帯用収納バックは、カバー部１１０とロック部１２０とに付着され、カバー部１１０を固定または開放するするスナップボタン１２２を構成する雄雌一対のスナップボタンにおいて、その付着位置を限定させないようにする。
【００２６】
そして、ロック部１２０に付着するスナップボタン１２２は、内側に連結ボルトＢが貫通し、ロック部１２０の端部外側に結合する付着板１２１と共に、連結され固定されることが好ましい。
【００２７】
これにより、ロック部１２０に付着するスナップボタン１２２が、堅固に付着および固定され、カバー部１１０を固定または開放する役割を安定的に行うことができるとともに、付着板１２１またはロック部１２０の端部外側に、堅固に結合されることにより、付着板１２１にボルト１２１ａで連結される時計Ｗも、安定的に設置されることになり、使用中の携帯用収納バックから離脱する恐れがなく、安定的に使用することが可能となる。
【００２８】
図３および図４に図示されているように、本考案のそれぞれ異なる実施形態に係る時計が設置された携帯用収納バックのロック部１２０は、磁石１２３またはベルクロ（面ファスナー）１２４によって、カバー部１１０を固定または開放することが可能である。
【００２９】
磁石１２３またはベルクロ１２４は、通常的に、携帯用収納バックを固定または開放することができる結合および分離手段であり、スナップボタン１２２と同一の目的と効果を有しているので、ここでは、詳細な説明は省略する。
【００３０】
以下、本考案の実施形態に係る時計が設置された携帯用収納バックの作用について説明する。
【００３１】
携帯することが避けられない、紙幣、カードおよび名刺などの小さいサイズの物品を収納する収納空間が内部に形成されている、財布Ｐ、ダイアリーＤおよびクラッチバックＣなどの携帯用収納バックを携帯しながら、歩行中または公共交通手段を利用した移動中に、時間を確認する必要がある場合、使用者は、手首に着けている時計を、手首を上げて確認したり、ポケットまたはかばんに収納している携帯電話を出して、確認したりする必要がなく、携帯用収納バックのロック部１２０の端部外側に、結合設置された時計Ｗを用いて、手間なく、時間を確認できるようになる。
【００３２】
そして、本考案による時計が設置された携帯用収納バックの使用中に、時計Ｗの内部機械作動に欠陥が発生した場合、時計Ｗに水が浸透し、時計Ｗの作動に問題が生じた場合、および、時計Ｗのバッテリが寿命切れで交換を行う必要がある場合などのように、時計Ｗを管理および修理する必要がある場合には、先ず、ロック部１２０に連結されている連結ボルトＢを解体し、ロック部１２０に結合されている付着板１１０とスナップボタン１２２とを、ロック部１２０から分離し、分離された付着板１１０のボルト１２１ａを解体し、付着板１１０に結合されている時計Ｗを、容易に分離し、時計Ｗの管理および修理作業を行うことが可能となる。
【００３３】
結局、本考案による時計が設置された携帯用収納バックは、携帯用収納バックに時計を設置し、携帯用収納バックを携帯して移動する際に、時間を確認することが手間にならないことは勿論、設置された時計を、携帯用収納バックから容易に分離することができ、時計を管理および修理するにあたり、不便が生じないようになる。
【００３４】
本考案において、上記実施の形態は、一つの例示であり、本考案はこれに限定されるものではない。本考案の実用新案登録請求の範囲に記載された技術的思想と、実質的に同一な構成を有し、同一な作用効果を成すものは、どのようなものであっても本考案の技術的範囲に含まれる。
【符号の説明】
【００３５】
１００    ボディー部
１１０    カバー部
１２０    ロック部
１２１    付着板
１２１ａ  ボルト
１２２    スナップボタン
１２３    磁石
１２４    ベルクロ
Ｗ        時計
Ｂ        連結ボルト
Ｐ        財布
Ｄ        ダイアリー
Ｃ        クラッチバック
【図１】
0003185947.tif 000003
【図２】
0003185947.tif 000004
【図３】
0003185947.tif 000005
【図４】
0003185947.tif 000006
【図５】
0003185947.tif 000007
【図６】
0003185947.tif 000008